(57)【要約】【課題】摩耗に対して優れた耐久性を発揮するようにしたゴルフクラブ用エンドチップを提供する。【解決手段】ゴルフクラブ１１のグリップエンド部１４に装着されてクラブ情報４を表示するエンドチップ１であって、その表示部２にクラブ情報４を刻印し、印字深さを０．３ｍｍ以上にする。或いは、表示部２にクラブ情報４の形状と一致する凹部５を形成し、該凹部５内に表示部２とは色違いの材料からなる対照部材６を配置する。或いは、表示部２にクラブ情報４の形状と一致する凸部７を形成し、該凸部７の周囲に表示部２とは色違いの材料からなる対照部材８を配置する。或いは、表示部２にクラブ情報４を印字し、透明又は半透明の材料からなる保護部材９を積層する。【選択図】  図１
2004305559.tif 000002
【特許請求の範囲】
【請求項１】
ゴルフクラブのグリップエンド部に装着されてクラブ情報を表示するエンドチップであって、その表示部に前記クラブ情報を刻印し、印字深さを０．３ｍｍ以上にしたゴルフクラブ用エンドチップ。
【請求項２】
ゴルフクラブのグリップエンド部に装着されてクラブ情報を表示するエンドチップであって、その表示部に前記クラブ情報の形状と一致する凹部を形成し、該凹部内に前記表示部とは色違いの材料からなる対照部材を配置したゴルフクラブ用エンドチップ。
【請求項３】
ゴルフクラブのグリップエンド部に装着されてクラブ情報を表示するエンドチップであって、その表示部に前記クラブ情報の形状と一致する凸部を形成し、該凸部の周囲に前記表示部とは色違いの材料からなる対照部材を配置したゴルフクラブ用エンドチップ。
【請求項４】
ゴルフクラブのグリップエンド部に装着されてクラブ情報を表示するエンドチップであって、その表示部に前記クラブ情報を印字し、透明又は半透明の材料からなる保護部材を積層したゴルフクラブ用エンドチップ。
【請求項５】
前記表示部に透明又は半透明の材料からなる保護部材を積層した請求項１乃至請求項３のいずれかに記載のゴルフクラブ用エンドチップ。
【発明の詳細な説明】
【０００１】
【発明の属する技術分野】
本発明は、ゴルフクラブのグリップエンド部に装着されてクラブ情報を表示するエンドチップに関し、更に詳しくは、摩耗に対して優れた耐久性を発揮するようにしたゴルフクラブ用エンドチップに関する。
【０００２】
【従来の技術】
従来、ゴルフクラブの番手表示はヘッドソール部への刻印により行われている。これは、ゴルフクラブがヘッドソール部を上方に露出させた状態でキャディーバッグに収納されるからである。ところが、ヘッドソール部に番手を表示した場合、ゴルフクラブを構えたときに表示が見えなくなり、その時点では番手の確認が困難である。そこで、近年、ゴルフクラブのグリップエンド部に窪み部を設け、番手を刻印した樹脂製のエンドチップを該窪み部に嵌め込むようにすることが提案されている（例えば、特許文献１及び特許文献２参照。）。
【０００３】
しかしながら、上記エンドチップに対する刻印は、その印字深さが極めて浅く実質的に平坦であるため、ゴルフクラブをキャディーバッグに繰り返し収納するうちに、バッグ底面と擦れて見難くなるという問題があった。また、単なる刻印では装飾性に欠けるという欠点もあった。
【０００４】
【特許文献１】
特開２０００−３００７０６号公報
【特許文献２】
特開２０００−１０７３３７号公報
【０００５】
【発明が解決しようとする課題】
本発明の目的は、摩耗に対して優れた耐久性を発揮するようにしたゴルフクラブ用エンドチップを提供することにある。
【０００６】
【課題を解決するための手段】
上記目的を達成するための本発明のゴルフクラブ用エンドチップは、ゴルフクラブのグリップエンド部に装着されてクラブ情報を表示するエンドチップであって、その表示部に前記クラブ情報を刻印し、印字深さを０．３ｍｍ以上にしたことを特徴とするものである。
【０００７】
このようにエンドチップの表示部に番手等のクラブ情報を刻印し、印字深さを０．３ｍｍ以上にしたので、キャディーバッグ等から摩擦を受けても表示が容易に消えることはない。しかも、クラブ情報の表示に立体感を持たせることで装飾性を高めることができる。
【０００８】
また、上記目的を達成するための本発明のゴルフクラブ用エンドチップは、ゴルフクラブのグリップエンド部に装着されてクラブ情報を表示するエンドチップであって、その表示部に前記クラブ情報の形状と一致する凹部を形成し、該凹部内に前記表示部とは色違いの材料からなる対照部材を配置したことを特徴とするものである。
【０００９】
このようにエンドチップの表示部に番手等のクラブ情報の形状と一致する凹部を形成し、該凹部内に表示部とは色違いの材料からなる対照部材を配置したので、キャディーバッグ等から摩擦を受けても表示が容易に消えることはない。また、クラブ情報の表示に立体感を持たせるようにすれば装飾性を高めることができる。
【００１０】
更に、上記目的を達成するための本発明のゴルフクラブ用エンドチップは、ゴルフクラブのグリップエンド部に装着されてクラブ情報を表示するエンドチップであって、その表示部に前記クラブ情報の形状と一致する凸部を形成し、該凸部の周囲に前記表示部とは色違いの材料からなる対照部材を配置したことを特徴とするものである。
【００１１】
このようにエンドチップの表示部に番手等のクラブ情報の形状と一致する凸部を形成し、該凸部の周囲に表示部とは色違いの材料からなる対照部材を配置したので、キャディーバッグ等から摩擦を受けても表示が容易に消えることはない。また、クラブ情報の表示に立体感を持たせるようにすれば装飾性を高めることができる。
【００１２】
更にまた、上記目的を達成するための本発明のゴルフクラブ用エンドチップは、ゴルフクラブのグリップエンド部に装着されてクラブ情報を表示するエンドチップであって、その表示部に前記クラブ情報を印字し、透明又は半透明の材料からなる保護部材を積層したことを特徴とするものである。
【００１３】
このようにエンドチップの表示部に番手等のクラブ情報を印字し、透明又は半透明の材料からなる保護部材を積層したので、キャディーバッグ等から摩擦を受けても表示が容易に消えることはない。また、透明又は半透明の材料からなる保護部材はそれ自体が装飾性の向上に寄与する。上記保護部材は、前述した他のエンドチップにおいて、表示部に積層しても良い。
【００１４】
【発明の実施の形態】
以下、本発明の構成について添付の図面を参照しながら詳細に説明する。
【００１５】
図１及び図２は本発明を適用するゴルフクラブ用エンドチップの一例を示し、図３はエンドチップを装着するゴルフクラブの一例を示すものである。
【００１６】
図１及び図２に示すように、エンドチップ１は、円盤状の表示部２と、該表示部２の裏面から延長して先端に円錐状のアンカーを成形した装着部３とから構成されている。表示部２の表面、即ち、表示面には、クラブ情報４が表示されている。このクラブ情報４としては、番手等を示す数字や文字を表示するのが一般的であるが、必要に応じて、それ以外の情報を表示することも可能である。
【００１７】
一方、図３に示すように、ゴルフクラブ１１はシャフト１２の後端部にゴム製のグリップ１３を装着した構成になっている。グリップ１３のグリップエンド部１４にはエンドチップ１の表示部２の形状に整合する窪み部１５が形成され、その中心に孔１６が設けられている。そのため、孔１６にエンドチップ１の装着部３を挿入すると共に、窪み部１５にエンドチップ１の表示部２を嵌め込むことで、グリップエンド部１４に対してエンドチップ１を装着することができる。
【００１８】
図４は本発明の第１実施形態からなるゴルフクラブ用エンドチップを示し、図１のＸ−Ｘ矢視断面に相当する断面図である。本実施形態は、エンドチップ１の表示部２にクラブ情報４を刻印し、印字深さを従来レベルよりも深くして０．３ｍｍ以上にしたものである。
【００１９】
上記の如くエンドチップ１の表示部２にクラブ情報４を刻印し、印字深さを０．３ｍｍ以上にしたことにより、グリップエンド部１４がキャディーバッグの底面と擦れても、印字自体は直接接触し難いので、摩耗に対して優れた耐久性を発揮することができる。また、上記印字深さに基づいてクラブ情報４の表示に立体感を持たせることにより、装飾性を高めることができる。
【００２０】
図５は本発明の第２実施形態からなるゴルフクラブ用エンドチップを示し、図１のＸ−Ｘ矢視断面に相当する断面図である。本実施形態は、エンドチップ１の表示部２にクラブ情報４の形状と一致する凹部５を形成し、該凹部５内に表示部２とは色違いの材料からなる対照部材６を嵌め込んだものである。この対照部材６は表示部２に対して一体的に接合されている。
【００２１】
上記の如くエンドチップ１の表示部２にクラブ情報４の形状と一致する凹部５を形成し、該凹部５内に表示部２とは色違いの材料からなる対照部材６を配置したことにより、グリップエンド部１４がキャディーバッグの底面と擦れても、クラブ情報４を表示する対照部材６が色褪せすることはないので、摩耗に対して優れた耐久性を発揮することができる。また、表示部２と対照部材６との段差に基づいてクラブ情報４の表示に立体感を持たせるようにすれば、装飾性を高めることができる。
【００２２】
図６は本発明の第３実施形態からなるゴルフクラブ用エンドチップを示し、図１のＸ−Ｘ矢視断面に相当する断面図である。本実施形態は、エンドチップ１の表示部２にクラブ情報４の形状と一致する凸部７を形成し、該凸部７の周囲に表示部２とは色違いの材料からなる対照部材８を配置したものである。この対照部材８は表示部２に対して一体的に接合されている。
【００２３】
上記の如くエンドチップ１の表示部２にクラブ情報４の形状と一致する凸部７を形成し、該凸部７の周囲に表示部２とは色違いの材料からなる対照部材８を配置したことにより、グリップエンド部１４がキャディーバッグの底面と擦れても、クラブ情報４を表示する凸部７が色褪せすることはないので、摩耗に対して優れた耐久性を発揮することができる。また、凸部７と対照部材８との段差に基づいてクラブ情報４の表示に立体感を持たせるようにすれば、装飾性を高めることができる。
【００２４】
図７は本発明の第４実施形態からなるゴルフクラブ用エンドチップを示し、図１のＸ−Ｘ矢視断面に相当する断面図である。本実施形態は、エンドチップ１の表示部２にクラブ情報４を刻印やスクリーン印刷等により印字し、透明又は半透明の材料からなる保護部材９を積層したものである。この保護部材９は表示部２に対して一体的に接合されている。
【００２５】
上記の如くエンドチップ１の表示部２にクラブ情報４を印字し、透明又は半透明の材料からなる保護部材９を積層したことにより、グリップエンド部１４がキャディーバッグの底面と擦れても、印字自体は直接接触しないので、摩耗に対して優れた耐久性を発揮することができる。また、透明又は半透明の材料からなる保護部材９はそれ自体が装飾性の向上に寄与する。例えば、材料及び形状を適切に設定することで保護部材９にレンズ効果を付与すれば、クラブ情報４の表示を大きく見せる効果が期待できる。
【００２６】
上記保護部材９は、図８〜図１０に示すように、第１〜第３の実施形態からなるエンドチップにもそれぞれ適用可能である。即ち、表示部２の表示面に透明又は半透明の材料からなる保護部材９を積層することにより、耐摩耗性と装飾性を更に向上することが可能になる。
【００２７】
本発明において、エンドチップの形状は特に限定されるものではなく、上記実施形態とは異なる形状であっても良い。また、エンドチップの材質は特に限定されるものではないが、ポリカーボネート樹脂やＡＢＳ樹脂等の樹脂を使用することが好ましい。エンドチップの材質として、金属やセラミックスを使用することも可能である。
【００２８】
【発明の効果】
以上説明したように本発明によれば、ゴルフクラブのグリップエンド部に装着されてクラブ情報を表示するエンドチップにおいて、
（１）エンドチップの表示部にクラブ情報を刻印し、印字深さを０．３ｍｍ以上にし、
（２）エンドチップの表示部にクラブ情報の形状と一致する凹部を形成し、該凹部内に表示部とは色違いの材料からなる対照部材を配置し、
（３）エンドチップの表示部にクラブ情報の形状と一致する凸部を形成し、該凸部の周囲に表示部とは色違いの材料からなる対照部材を配置し、或いは、
（４）エンドチップの表示部にクラブ情報を印字し、透明又は半透明の材料からなる保護部材を積層したから、摩耗に対して優れた耐久性を発揮することができ、しかも装飾性を高めることが可能になる。
【図面の簡単な説明】
【図１】本発明を適用するゴルフクラブ用エンドチップの一例を示す平面図である。
【図２】本発明を適用するゴルフクラブ用エンドチップの一例を示す側面図である。
【図３】エンドチップを装着するゴルフクラブの一例を示す要部斜視図である。
【図４】本発明の第１実施形態からなるゴルフクラブ用エンドチップを示し、図１のＸ−Ｘ矢視断面に相当する断面図である。
【図５】本発明の第２実施形態からなるゴルフクラブ用エンドチップを示し、図１のＸ−Ｘ矢視断面に相当する断面図である。
【図６】本発明の第３実施形態からなるゴルフクラブ用エンドチップを示し、図１のＸ−Ｘ矢視断面に相当する断面図である。
【図７】本発明の第４実施形態からなるゴルフクラブ用エンドチップを示し、図１のＸ−Ｘ矢視断面に相当する断面図である。
【図８】本発明の第１実施形態からなるゴルフクラブ用エンドチップの変形例を示し、図１のＸ−Ｘ矢視断面に相当する断面図である。
【図９】本発明の第２実施形態からなるゴルフクラブ用エンドチップの変形例を示し、図１のＸ−Ｘ矢視断面に相当する断面図である。
【図１０】本発明の第３実施形態からなるゴルフクラブ用エンドチップの変形例を示し、図１のＸ−Ｘ矢視断面に相当する断面図である。
【符号の説明】
１  エンドチップ
２  表示部
３  装着部
４  クラブ情報
５  凹部
６  対照部材
７  凸部
８  対照部材
９  保護部材
１１  ゴルフクラブ
１２  シャフト
１３  グリップ
１４  グリップエンド部
１５  窪み部
１６  孔
【図１】
2004305559.tif 000003
【図２】
2004305559.tif 000004
【図３】
2004305559.tif 000005
【図４】
2004305559.tif 000006
【図５】
2004305559.tif 000007
【図６】
2004305559.tif 000008
【図７】
2004305559.tif 000009
【図８】
2004305559.tif 000010
【図９】
2004305559.tif 000011
【図１０】
2004305559.tif 000012